(57)【要約】【課題】  １つの接続が確立している際に確立される別の接続に関して、接続状態の管理を容易にすること。【解決手段】  通信装置は、第１の他の通信装置との間の第１の接続の通信品質を確認し、第２の他の通信装置との間の、第１の接続が確立されている間に確立される第２の接続について、接続が確立しているかおよび通信品質の少なくともいずれかを確認し、第２の接続が確立している場合に、第１の接続の通信品質と第２の接続の通信品質とを関連付けて表示する。【選択図】  図３
2015139164.tif 000002
【特許請求の範囲】
【請求項１】
第１の他の通信装置との間の第１の接続の通信品質を確認する第１の確認手段と、
第２の他の通信装置との間の、前記第１の接続が確立されている間に確立される第２の接続について、接続が確立しているかおよび通信品質の少なくともいずれかを確認する第２の確認手段と、
前記第２の接続が確立している場合に、前記第１の接続の通信品質と前記第２の接続の通信品質とを関連付けて表示する表示手段と、
を有することを特徴とする通信装置。
【請求項２】
前記表示手段は、前記第２の接続が確立していない場合は、前記第１の接続の通信品質を表示し、前記第２の接続の通信品質を表示しない、
ことを特徴とする請求項１に記載の通信装置。
【請求項３】
前記表示手段は、前記第１の接続の通信品質が所定の品質を満たさない場合に、当該第１の接続の通信品質を強調して表示する、
ことを特徴とする請求項１又は２に記載の通信装置。
【請求項４】
前記表示手段は、前記第１の接続の通信品質が所定の品質を満たす場合に、前記第２の接続の通信品質を強調して表示する、
ことを特徴とする請求項１又は２に記載の通信装置。
【請求項５】
前記強調により、強調される通信品質が前面に、強調されない通信品質が背面に、表示される、
ことを特徴とする請求項３又は４に記載の通信装置。
【請求項６】
前記強調により、強調される通信品質と、強調されない通信品質とが、異なる色または形状で表示される、
ことを特徴とする請求項３又は４に記載の通信装置。
【請求項７】
前記表示手段は、前記第１の接続の通信品質が所定の品質を満たさない場合に、前記第２の接続が維持されない場合があることを示すメッセージをさらに表示する、
ことを特徴とする請求項１又は２に記載の通信装置。
【請求項８】
前記第２の他の通信装置と前記第１の他の通信装置との間の接続の通信品質の情報を、当該第２の他の通信装置から受信する受信手段をさらに有し、
前記第２の他の通信装置と前記第１の他の通信装置との間の接続の通信品質が所定の品質を満たさないことを前記情報が示す場合に、前記第２の接続が維持されない場合があることを示すメッセージをさらに表示する、
ことを特徴とする請求項１から７のいずれか１項に記載の通信装置。
【請求項９】
前記通信装置と前記第１の他の通信装置との間の接続の通信品質の情報を、前記第２の他の通信装置へ通知する通知手段をさらに有する、
ことを特徴とする請求項１から８のいずれか１項に記載の通信装置。
【請求項１０】
前記第１の他の通信装置は無線ＬＡＮのアクセスポイントであり、前記通信装置および前記第２の他の通信装置は無線ＬＡＮの端末である、
ことを特徴とする請求項１から９のいずれか１項に記載の通信装置。
【請求項１１】
前記第１の接続は、前記第１の他の通信装置を介した前記第２の他の通信装置との通信のための、前記通信装置と前記第１の他の通信装置との間の接続であり、
前記第２の接続は、前記第２の他の通信装置との直接接続である、
ことを特徴とする請求項１から１０のいずれか１項に記載の通信装置。
【請求項１２】
前記通信品質は、受信信号強度、信号対雑音比、伝送エラーレート、スループット、リンクレートのいずれかである、
ことを特徴とする請求項１から１１のいずれか１項に記載の通信装置。
【請求項１３】
通信装置の制御方法であって、
第１の確認手段が、第１の他の通信装置との間の第１の接続の通信品質を確認する第１の確認工程と、
第２の確認手段が、第２の他の通信装置との間の、前記第１の接続が確立されている間に確立される第２の接続について、接続が確立しているかおよび通信品質の少なくともいずれかを確認する第２の確認工程と、
表示手段が、前記第２の接続が確立している場合に、前記第１の接続の通信品質と前記第２の接続の通信品質とを関連付けて表示する表示工程と、
を有することを特徴とする制御方法。
【請求項１４】
コンピュータを請求項１から１０のいずれか１項に記載の通信装置が備える各手段として機能させるためのプログラム。
【発明の詳細な説明】
【技術分野】
【０００１】
本発明は端末間の直接通信技術に関する。
【背景技術】
【０００２】
現在、ＩＥＥＥ８０２．１１規格において、１つのアクセスポイント（ＡＰ）に接続している端末（ＳＴＡ）同士が、直接接続できるＴｕｎｎｅｌｅｄ  Ｄｉｒｅｃｔ  Ｌｉｎｋ  Ｓｅｔｕｐ（ＴＤＬＳ）が提案されている（非特許文献１）。ＴＤＬＳでは、ＳＴＡ同士が、ＡＰとの接続を維持しながら、ＡＰとの通信が発生しない期間に、直接接続による通信を行なう。なお、ＴＤＬＳでは、直接接続の設定が、ＡＰを介してＩＰパケットでカプセル化されて行われる。このため、ＡＰに特別な機能を導入することは不要であり、通信の能力は、ＡＰの能力によらない。したがって、ＳＴＡの能力に応じて、例えば、より高速又は暗号レベルの高い設定の通信を行うことができる。
【先行技術文献】
【非特許文献】
【０００３】
【非特許文献１】ＩＥＥＥ  Ｓｔｄ  ８０２．１１−２０１２
【発明の概要】
【発明が解決しようとする課題】
【０００４】
ＴＤＬＳでは、ＳＴＡは、ＡＰとの接続を維持しつつ、他のＳＴＡとの間で直接接続を確立するため、１つの無線部及び無線方式で、通信状態が異なる複数の接続が同時並行的に生じることとなる。ここで、ＴＤＬＳは、ＳＴＡが、ＡＰとの接続が維持されていることを前提に他のＳＴＡとの直接接続を確立できるようにしたものである。このため、ＡＰとの接続が切断されると、直接接続はその通信品質が良好であっても、切断されてしまう。このとき、ＳＴＡのユーザは、何が理由で直接接続が切断したかを認識することが容易ではないという課題があった。
【０００５】
本発明は上記課題に鑑みなされたものであり、１つの接続が確立している際に確立される別の接続に関して、接続状態の管理を容易にすることを目的とする。
【課題を解決するための手段】
【０００６】
上記目的を達成するため、本発明による通信装置は、第１の他の通信装置との間の第１の接続の通信品質を確認する第１の確認手段と、第２の他の通信装置との間の、前記第１の接続が確立されている間に確立される第２の接続について、接続が確立しているかおよび通信品質の少なくともいずれかを確認する第２の確認手段と、前記第２の接続が確立している場合に、前記第１の接続の通信品質と前記第２の接続の通信品質とを関連付けて表示する表示手段と、を有する。
【発明の効果】
【０００７】
本発明によれば、１つの接続が確立している際に確立される別の接続に関して、接続状態の管理を容易にすることができる。
【図面の簡単な説明】
【０００８】
【図１】無線通信システムの構成例を示す図。
【図２】実施形態１の、無線通信端末の構成例を示す図。
【図３】実施形態１の、通信状態表示部の処理の流れを示すフローチャート。
【図４】実施形態１の、無線通信端末における画面表示例を示す図。
【図５】実施形態２の、他の無線通信端末の構成例を示す図。
【図６】実施形態２の、無線通信端末のＡＰ通信状態取得部の処理の流れを示すフローチャート。
【図７】実施形態２の、無線通信端末の通信状態表示部の処理の流れを示すフローチャート。
【図８】実施形態２の、無線通信端末における画面表示例を示す図。
【発明を実施するための形態】
【０００９】
以下、添付図面を参照して本発明の実施の形態を詳細に説明する。
【００１０】
＜＜実施形態１＞＞
（無線通信システムの構成例）
図１は、本実施形態に係る無線通信システムの構成例を示す図である。無線通信システムには、アクセスポイント（ＡＰ）１１０及び無線通信端末（ＳＴＡ）１０１及び１０２が含まれる。ＳＴＡ１０１及び１０２は、例えば、ＩＥＥＥ８０２．１１規格シリーズに準拠した無線ＬＡＮの端末である。ＳＴＡ１０１は、ＡＰ１１０と接続する機能と、ＡＰ１１０との接続が確立されている間に確立可能な、他のＳＴＡ１０２との直接接続を確立する機能とを有する。ＳＴＡ１０２も、ＡＰ１１０と接続する機能と、ＡＰ１１０との接続が確立されている間に確立可能な、他のＳＴＡ１０１との直接接続を確立する機能とを有する。なお、ＳＴＡ１０１及び１０２は、通常のＩＥＥＥ８０２．１１規格シリーズに準拠する端末の機能をそれぞれ有する。本実施形態に係るＳＴＡ１０１及び１０２に特有の機能については、後述する。
【００１１】
ＡＰ１１０は、ＩＥＥＥ８０２．１１規格シリーズに準拠する、通常のアクセスポイントである。なお、ＡＰ１１０には、本実施形態に係る固有の機能は含まれないため、その機能の詳細な説明は省略する。
【００１２】
（無線通信端末の構成例）
図２は、本実施形態に係る無線通信端末（ＳＴＡ１０１）の構成例を示す図である。なお、ＳＴＡ１０２も同様の機能を有していてもよい。ＳＴＡ１０１は、例えば、ＳＴＡ機能部２０１、ＴＤＬＳ通信状態取得部２０２、ＡＰ通信状態取得部２０３、及び通信状態表示部２０４を有する。なお、ＳＴＡ１０２も、同様の機能を有してもよい。
【００１３】
ＳＴＡ機能部２０１は、周知のＣＰＵ、メモリ、キーボード、液晶画面、無線チップ、アンテナ及びこれらを制御する制御プログラムなどで構成される。ＳＴＡ機能部２０１は、ユーザ操作に応じた情報処理、８０２．１１規格シリーズに対応した通信などを行い、従来のＳＴＡ機能を果たす。
【００１４】
ＴＤＬＳ通信状態取得部２０２、ＡＰ通信状態取得部２０３、及び通信状態表示部２０４は、制御プログラムなどで構成される。
【００１５】
ＴＤＬＳ通信状態取得部２０２は、ＳＴＡ機能部２０１で実行される８０２．１１規格シリーズに対応した通信において、ＴＤＬＳでの通信状態（例えば、接続が確立されているか及び通信品質の少なくともいずれか）を取得して確認する。具体的には、ＴＤＬＳ通信状態取得部２０２は、例えば、まず、ＴＤＬＳによる他のＳＴＡとの間の直接接続が確立されているか（例えば、他のＳＴＡとの直接接続による通信が行われているか）を確認する。そして、ＴＤＬＳ通信状態取得部２０２は、直接接続が確立している場合に、他のＳＴＡが送信した信号の受信信号強度を取得して確認する。一方、ＴＤＬＳ通信状態取得部２０２は、直接接続が確立していない場合には、受信信号強度の取得及び確認は行わない。なお、ＴＤＬＳ通信状態取得部２０２は、直接接続が確立しているかの確認を行わずに、受信信号強度の取得及び確認を行ってもよい。この場合、直接接続相手が存在しないため、直接接続に係る信号は受信されず、受信信号強度は０となる。なお、ＴＤＬＳ通信状態取得部２０２は、例えば、他のＳＴＡとの間の直接接続が確立した後に、この通信状態の取得と確認とを定期的に実行する。
【００１６】
ＡＰ通信状態取得部２０３は、ＳＴＡ機能部２０１で実行される８０２．１１規格シリーズに対応した通信において、ＳＴＡ１０１とＡＰとの接続についての通信状態（例えば通信品質）を取得して確認する。具体的には、ＡＰ通信状態取得部２０３は、例えば、ＡＰが送信したビーコンの受信信号強度を取得して確認する。なお、ＡＰ通信状態取得部２０３は、例えば、ＡＰとの接続が確立された後、この通信状態の取得と確認とを定期的に実行する。
【００１７】
通信状態表示部２０４は、ＴＤＬＳ通信状態取得部２０２及びＡＰ通信状態取得部２０３で取得した、ＳＴＡ１０１とＡＰとの接続の通信状態と、他のＳＴＡとの間の直接接続の通信状態とを関連付けて表示する。
【００１８】
（無線通信端末の動作）
図３に、本実施形態の、無線通信端末（ＳＴＡ１０１）の通信状態表示部２０４で実行される処理の流れを示す。この処理は、例えば、ＡＰとの接続が完了した後に定期的に実行される。
【００１９】
通信状態表示部２０４は、処理が開始されると、ＴＤＬＳ通信状態取得部２０２の確認結果により、ＴＤＬＳによるＳＴＡ同士の直接接続が確立されているかを判定する（Ｓ３０１）。Ｓ３０１において、ＴＤＬＳによる他のＳＴＡとの間の直接接続が確立されていると判定した場合、通信状態表示部２０４は、続いて、ＡＰ通信状態取得部２０３で取得した通信状態に基づいて、ＡＰとの間の接続の通信状態が良好かを判定する（Ｓ３０２）。Ｓ３０２では、例えば、ＡＰ通信状態取得部２０３で取得した、ビーコンの受信信号強度などの通信品質が所定の品質を満たしていればＡＰとの間の接続の通信状態が良好であると判定され、所定の品質を満たさない場合は通信状態が不十分であると判定される。
【００２０】
Ｓ３０２において、ＡＰとの通信状態が良好である場合、通信状態表示部２０４は、ＡＰ通信状態取得部２０３で取得した通信状態に基づいて、ＡＰとの通信状態（通信品質）を表示する（Ｓ３０３）。なお、Ｓ３０３では、ＡＰ通信状態取得部２０３で取得した、ビーコンの受信信号強度に応じて、例えばアンテナ形状のアイコンを使用して、段階表示によりＡＰとの接続の通信状態を表示する。
【００２１】
通信状態表示部２０４は、Ｓ３０３に続いて、ＴＤＬＳ通信状態取得部２０２で取得した通信状態に基づいて、ＴＤＬＳの相手である他のＳＴＡとの通信状態（通信品質）を表示し（Ｓ３０４）、処理を終了する。Ｓ３０４では、ＴＤＬＳ通信状態取得部２０２で取得した、ＴＤＬＳの相手である他のＳＴＡが送信した信号の受信信号強度に応じて、例えばアンテナ形状のアイコンを使用して、段階表示により直接接続の通信状態を表示する。
【００２２】
なお、Ｓ３０３及びＳ３０４では、例えば、直接接続の通信状態を前面に、ＡＰとの接続の通信状態を背面に、それぞれ表示することにより、直接接続の通信状態の表示を強調する。すなわち、この場合はＡＰとの接続の通信状態が良好であるため、これにより直接接続が切断される可能性は低いため、他のＳＴＡとの通信の速度等に主として影響を与える直接接続の情報を強調して表示する。なお、例えば、直接接続の通信状態の表示と、ＡＰとの接続の通信状態の表示とを異なる色または形状で表示することにより、直接接続の通信状態の表示が強調されるようにしてもよい。
【００２３】
一方、Ｓ３０２においてＡＰとの通信状態が不十分であると判定された場合、通信状態表示部２０４は、ＡＰとの通信状態が不十分であり、ＴＤＬＳによるＳＴＡ同士の直接接続が維持されない可能性がある旨の警告メッセージを表示する（Ｓ３０５）。そして、通信状態表示部２０４は、ＡＰ通信状態取得部２０３で取得したＡＰとの通信状態と、ＴＤＬＳ通信状態取得部２０２で取得したＴＤＬＳの相手ＳＴＡとの通信状態とを表示し（Ｓ３０６、Ｓ３０７）、処理を終了する。なお、Ｓ３０６では、Ｓ３０３と同様に、ＡＰ通信状態取得部２０３で取得した、ビーコンの受信信号強度に応じて、例えばアンテナ形状のアイコンを使用して、段階表示によりＡＰとの接続の通信状態が表示される。また、Ｓ３０７では、Ｓ３０４と同様に、ＴＤＬＳの相手である他のＳＴＡが送信した信号の受信信号強度に応じて、例えばアンテナ形状のアイコンを使用して、段階表示により直接接続の通信状態を表示する。
【００２４】
なお、Ｓ３０６及びＳ３０７は、ＡＰとの間の接続が原因で、直接接続が切断され得る状態であるため、ＡＰとの接続の通信状態を前面に、直接族の通信状態を背面に、それぞれ表示することにより、ＡＰとの接続の通信状態の表示を強調する。すなわち、直接接続が切断され得る原因をユーザが認識しやすいように、その原因であるＡＰとの接続の通信状態を強調する。なお、例えば、ＡＰとの接続の通信状態の表示と、直接接続の通信状態の表示とを異なる色または形状で表示することにより、ＡＰとの接続の通信状態の表示が強調されるようにしてもよい。また、ＡＰとの接続の通信状態の表示を点滅させるなどしてもよい。なお、これらの強調表示を行う場合、Ｓ３０５の警告メッセージは表示されなくてもよく、また、Ｓ３０５の警告メッセージが表示される場合は、ＡＰとの接続の通信状態の表示の強調が行われなくてもよい。
【００２５】
Ｓ３０１において、ＴＤＬＳによるＳＴＡ同士の直接接続が確立されていないと判定された場合、通信状態表示部２０４は、ＡＰ通信状態取得部２０３で取得したＡＰとの通信状態のみを表示し（Ｓ３０８）、処理を終了する。なお、Ｓ３０８では、Ｓ３０３と同様に、ＡＰ通信状態取得部２０３で取得した、ビーコンの受信信号強度に応じて、例えばアンテナ形状のアイコンを使用して、段階表示によりＡＰとの接続の通信状態が表示される。
【００２６】
図４に、上述のような処理により表示される画面の例を示す。なお、ここでは、例えば、ＳＴＡ１０１とＳＴＡ１０２が、ＡＰを介して接続しながら、ＴＤＬＳによる直接接続での通信を行っているものとする。また、ＳＴＡ１０１において、ＡＰとの接続の通信状態が不十分であり、ＳＴＡ１０２とのＴＤＬＳによる直接接続の通信状態は良好であるものとする。このとき、ＳＴＡ１０１では、ＡＰとの通信状態の情報を前面に表示し、ＡＰとの通信状態が不十分であり、ＴＤＬＳによるＳＴＡ同士の直接接続での通信が維持されない可能性がある旨の警告メッセージ（４０１）が表示される。
【００２７】
このように、ＡＰとの間の接続の通信状態と、直接接続の通信状態とを関連付けて表示することにより、例えば、ＡＰとの間の接続の通信状態が不十分なことにより、直接接続が維持されない可能性を提示することができる。したがって、ＳＴＡ１０１のユーザは、例えば、この表示を参照して、ＡＰから離れないようにする等の対応を取ることができる。
【００２８】
＜＜実施形態２＞＞
本実施形態では、ＳＴＡ１０１は、ＳＴＡ１０１とＡＰとの間の接続、及びＳＴＡ１０１とＳＴＡ１０２との間のＴＤＬＳによる直接接続に加えて、ＳＴＡ１０２とＡＰとの間の接続を考慮した表示を行う。なお、本実施形態の無線通信システムの構成は図１と同様であるため、また、本実施形態においてもＡＰはＩＥＥＥ８０２．１１規格シリーズに準拠した通常のアクセスポイントであれば足りるため、これらの説明については省略する。なお、ＳＴＡ１０１の構成は、図２と同様であるが、ＡＰ通信状態取得部２０３及び通信状態表示部２０４の処理については実施形態１と異なる部分があるため、これらについては後に詳細に説明する。以下では、まず、他のＳＴＡ１０２の構成について説明する。
【００２９】
（他の無線通信端末の構成例）
図５は、本実施形態に係る他の無線通信端末（ＳＴＡ１０２）の構成例を示す図である。ＳＴＡ１０２は、例えば、ＳＴＡ機能部５０１、ＡＰ通信状態取得部５０２及び通信状態通知部５０３を有する。なお、ＳＴＡ機能部５０１はＳＴＡ１０１のＳＴＡ機能部２０１と同様の機能部であり、ＡＰ通信状態取得部５０２はＳＴＡ１０１のＡＰ通信状態取得部２０３と同様の機能部である。
【００３０】
通信状態通知部５０３は、制御プログラムなどで構成される。通信状態通知部５０３は、ＴＤＬＳによるＳＴＡ同士の直接接続が確立されている場合に、ＡＰ通信状態取得部５０２で取得した、ＡＰとの間の接続の通信状態（例えばビーコンの受信信号強度）の情報を、ＴＤＬＳの相手装置であるＳＴＡ１０１に通知する。なお、この処理は、ＳＴＡ１０２とＡＰとの間の接続が確立された後に、定期的に実行される。
【００３１】
なお、ＳＴＡ１０２は、図２に示すＳＴＡ１０１の機能に加えて通信状態通知部５０３を有していてもよく、また、ＳＴＡ１０１も同様に通信状態通知部５０３を有していてもよい。これにより、２つのＳＴＡ１０１及び１０２は、共に、ＴＤＬＳの相手装置とＡＰとの間の接続の通信状態を把握することが可能となる。これにより、例えば、ユーザは、いずれかの端末を確認することにより、これらの端末とＡＰとの間の接続の状態を知ることが可能となる。
【００３２】
（無線通信端末の動作）
以下では、本実施形態の、無線通信端末（ＳＴＡ１０１）で実行される処理の流れについて、図６〜図８を用いて説明する。なお、図６は、ＳＴＡ１０１のＡＰ通信状態取得部２０３の処理の流れを示すフローチャートであり、図７は、ＳＴＡ１０１の通信状態表示部２０４の処理の流れを示すフローチャートである。また、図８は、ＳＴＡ１０１における画面表示例を示す図である。
【００３３】
まず、図６を参照して、ＳＴＡ１０１のＡＰ通信状態取得部２０３の処理について説明する。この処理は、実施形態１と同様に、例えばＳＴＡ１０１とＡＰとの接続が確立された後に定期的に実行される。処理が開始されると、ＡＰ通信状態取得部２０３は、ＡＰが送信したビーコンの受信信号強度を取得して確認する（Ｓ６０１）。続いて、ＡＰ通信状態取得部２０３は、ＳＴＡ１０２との間でＴＤＬＳによる直接接続が確立しているかを確認する（Ｓ６０２）。Ｓ６０２において、ＴＤＬＳによる直接接続が確立していると判定された場合、ＡＰ通信状態取得部２０３は、その直接接続の相手装置であるＳＴＡ１０２からのビーコンの受信信号強度を受信して確認し（Ｓ６０３）、処理を終了する。一方、Ｓ６０２において、ＳＴＡ１０２との間でＴＤＬＳによる直接接続が確立されていないと判定された場合、ＡＰ通信状態取得部２０３は、そのまま処理を終了する。
【００３４】
続いて、図７を参照して、ＳＴＡ１０１の通信状態表示部２０４の処理について説明する。この処理は、実施形態１と同様に、例えばＳＴＡ１０１とＡＰとの接続が確立された後に定期的に実行される。なお、本実施形態に係る通信状態表示部２０４の処理は、図３の処理における、ＴＤＬＳによる直接接続が確立されており、かつ、ＡＰとＳＴＡ１０１との接続の通信状態が良好であると判定された場合の処理を変形したものである。したがって、図３と同様の処理については、図３と同様の参照番号を付して、その説明を省略する。
【００３５】
本実施形態では、通信状態表示部２０４は、Ｓ３０２においてＡＰとの接続の通信状態が良好と判定した場合に、続いて、ＴＤＬＳの相手装置であるＳＴＡ１０２から通知された、ＳＴＡ１０２とＡＰとの接続の通信状態が良好かを確認する（Ｓ７０１）。Ｓ７０１では、通信状態表示部２０４は、ＴＤＬＳの相手装置であるＳＴＡ１０２における、ビーコンの受信信号強度などの通信品質が所定の品質を満たしていれば、ＳＴＡ１０２とＡＰとの間の接続の通信状態が良好であると判定する。一方、通信状態表示部２０４は、通信品質が所定の品質を満たさない場合は、ＳＴＡ１０２とＡＰとの間の接続の通信状態が不十分であると判定する。
【００３６】
通信状態表示部２０４は、Ｓ７０１において、ＳＴＡ１０２とＡＰとの間の接続の通信状態が良好であると判定した場合、処理をＳ３０３へ進めて、ＡＰ通信状態とＴＤＬＳ通信状態との表示を、ＴＤＬＳ通信状態の表示が強調されるように行う。一方、ＳＴＡ１０２とＡＰとの間の接続の通信品質が不十分と判定した場合、通信状態表示部２０４は、ＳＴＡ１０２（ＴＤＬＳの相手装置）とＡＰとの通信状態が不十分であり、直接接続も維持されない可能性がある旨の警告メッセージを表示する（Ｓ７０２）。その後、通信状態表示部２０４は、処理をＳ３０３へ移し、ＡＰ通信状態とＴＤＬＳ通信状態との表示を行う。
【００３７】
図８に、上述のような処理により表示される画面の例を示す。なお、ここでは、例えば、ＳＴＡ１０１とＳＴＡ１０２が、ＡＰを介して接続しながら、ＴＤＬＳによる直接接続での通信を行っているものとする。また、ＳＴＡ１０１において、ＡＰとの通信状態及びＳＴＡ１０２とのＴＤＬＳによる直接接続での通信状態は共に良好であるものとし、一方で、ＳＴＡ１０２において、ＡＰとの通信状態が不十分であるものとする。この場合、ＳＴＡ１０１では、ＴＤＬＳによる直接接続の通信状態とＳＴＡ１０１とＡＰとの接続の通信状態とに加え、ＳＴＡ１０２とＡＰとの通信状態が不十分であり、そのため直接接続も維持されない場合がある旨の警告メッセージ（８０１）が表示される。
【００３８】
このように、ＳＴＡ１０２とＡＰとの間の接続を考慮した表示を行うことにより、例えば、直接接続の相手装置とＡＰとの間の接続の通信状態が不十分なことにより、直接接続が維持されない可能性を提示することができる。したがって、ＳＴＡ１０１のユーザは、例えば、この表示を参照して、ＳＴＡ１０２をＡＰに近づける等の対応を取ることができる。
【００３９】
なお、上述の説明では、通信状態（通信品質）として受信信号強度を用いる場合について説明したが、受信信号強度に代えて、信号対雑音比、伝送エラーレート、スループット、リンクレートなどの他の通信品質が用いられてもよい。また、上述の説明では、通信状態の表示において、アンテナ形状のアイコンを使用すると説明したが、他の表示を用いてもよい。また、取得される通信品質の性質に応じて、表示形式を変更してもよい。また、上述の説明では、通信状態の表示としてＡＰとの接続の通信状態と、直接接続の通信状態とを、前面背面に双方表示したが、これを、一方のみ表示、ユーザ操作で切り替え表示、組み合わせて双方前面に表示するなどしてもよい。
【００４０】
また、上述の説明では、無線ＬＡＮのＡＰとＳＴＡとの間での接続を維持しながら、ＳＴＡ同士の直接接続を行う場合について説明したが、これに限られない。すなわち、通信装置が、第１の他の通信装置と第１の接続を確立している際にのみ、第２の他の通信装置と第２の接続を確立することができる場合、すなわち、第１の接続を前提として第２の接続が確立できるあらゆる場合に適用することができる。その場合であっても、第１の接続の通信状態（通信品質）と、第２の接続の通信状態（通信品質）とが確認され、例えば、第１の接続の通信品質が所定の品質を満たさない場合は、例えば、第１の接続の通信状態が強調表示される。また、その場合は、第２の接続が維持されない場合がある旨の警告メッセージが表示されてもよい。さらに、第２の接続が確立されている場合に、第１の接続の通信品質が所定の品質を満たす場合は、第２の接続の通信状態が強調表示されてもよい。さらに、第２の他の通信装置と第１の他の通信装置との間の接続の通信品質が所定の品質を満たさない場合に、直接接続が維持されない場合がある旨の警告メッセージが表示されてもよい。このように、上述の各処理は、無線ＬＡＮシステム以外の通信システムにも適用できるし、ＳＴＡとＡＰ以外の無線通信装置によって実行されることもできる。
【００４１】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015139164.tif 000003
【図２】
2015139164.tif 000004
【図３】
2015139164.tif 000005
【図４】
2015139164.tif 000006
【図５】
2015139164.tif 000007
【図６】
2015139164.tif 000008
【図７】
2015139164.tif 000009
【図８】
2015139164.tif 000010